(57)【要約】【課題】誘導シールの作成と貼り付けなどの余分なコストや手間をかけることなく、ジャム解消ハンドルの回転方向をユーザに容易に認識させることができる画像読取装置を提供する。【解決手段】原稿が原稿自動搬送装置１８の内部でジャムすると、ユーザは、カバー部材２８を開けて、ジャム解消ハンドル３０を回転させる。このとき、ジャム解消ハンドル３０の係止部３４を構成する第１斜辺部３６と第２斜辺部３８の形状が外観上明らかに異なっているため、ユーザは、ジャム解消ハンドル３０の外形をみてジャム解消ハンドル３０を回転させる方向（図３中矢印Ｘ方向）を瞬時に知ることができる。【選択図】      図３
2008035000.tif 000002
【特許請求の範囲】
【請求項１】
情報読取部位で原稿の情報を読み取る画像読取装置本体と、原稿を前記情報読取部位に供給する原稿自動搬送装置と、を有する画像読取装置であって、
前記原稿自動搬送装置は、一方向に回転させることによりジャムした原稿を除去するジャム解消ハンドルを有し、
前記ジャム解消ハンドルには、一方向側に位置する非押圧部位と、一方向側と反対側に位置する押圧部位と、を有する係止部が形成され、
前記押圧部位の形状と前記非押圧部位の形状とが相互に異なることを特徴とする画像読取装置。
【請求項２】
前記ジャム解消ハンドルは、前記原稿自動搬送装置に回転可能に取り付けられるハンドル本体部を有し、
前記係止部は、前記ハンドル本体部の外周部に形成されていることを特徴とする請求項１に記載の画像読取装置。
【請求項３】
前記押圧部位における前記ハンドル本体部の外周面の接線方向に対する傾斜角度は、前記非押圧部位における前記ハンドル本体部の外周面の接線方向に対する傾斜角度よりも大きいことを特徴とする請求項２に記載の画像読取装置。
【発明の詳細な説明】
【技術分野】
【０００１】
本発明は、原稿に記載された情報などを読み取る画像読取装置に関する。
【背景技術】
【０００２】
従来の画像読取装置には、原稿を載置する給紙トレイと、給紙トレイ上の原稿を情報読取部位に供給する原稿自動搬送装置（ＡＤＦ装置）と、原稿自動搬送装置により情報読取部位に供給された用紙が排出される排紙トレイと、を備えたものがある。
【０００３】
上記原稿自動搬送装置には、内部で原稿がジャムした場合に開けるカバー部材と、ジャムした原稿を取り除くためのジャム解消ハンドルと、が設けられている。原稿自動搬送装置の内部で原稿がジャムした場合には、カバー部材を開けてジャム解消ハンドルを所定の方向に回転させることにより、ジャムした原稿を容易に除去することができる。
【特許文献１】特開平５−９７２７９号公報
【発明の開示】
【発明が解決しようとする課題】
【０００４】
ところで、従来の画像読取装置では、ジャム解消ハンドルの回転方向が外観上わかり難く、ジャム解消ハンドルを正しい方向に回転させるとジャムした原稿を容易に除去できるが、ジャム解消ハンドルを間違った方向に誤って回転させてしまうと、ジャムした原稿が搬送路に押し付けられるなどして原稿に大きなダメージを与えることになる。ジャムした原稿が搬送路に押し付けられると、原稿をさらに除去し難くなる問題がある。
【０００５】
一方、ジャム解消ハンドルを正しい方向に回転させるために、ジャム解消ハンドルの近傍にジャム解消ハンドルを回転させる方向を示した矢印などの誘導シールを貼り、ユーザを誘導することも考えられるが、この場合には、誘導シールを作成して貼り付けるための手間とコスト及びスペースが余分にかかる問題が生じてしまう問題がある。
【０００６】
そこで、本発明は、上記事情を考慮し、誘導シールの作成と貼り付けなどの余分なコストや手間をかけることなく、ジャム解消ハンドルの回転方向をユーザに容易に認識させることができる画像読取装置を提供することを目的とする。
【課題を解決するための手段】
【０００７】
請求項１に記載の発明は、情報読取部位で原稿の情報を読み取る画像読取装置本体と、原稿を前記情報読取部位に供給する原稿自動搬送装置と、を有する画像読取装置であって、前記原稿自動搬送装置は、一方向に回転させることによりジャムした原稿を除去するジャム解消ハンドルを有し、前記ジャム解消ハンドルには、一方向側に位置する非押圧部位と、一方向側と反対側に位置する押圧部位と、を有する係止部が形成され、前記押圧部位の形状と前記非押圧部位の形状とが相互に異なることを特徴とする。
【０００８】
請求項２に記載の発明は、請求項１に記載の画像読取装置において、前記ジャム解消ハンドルは、前記原稿自動搬送装置に回転可能に取り付けられるハンドル本体部を有し、前記係止部は、前記ハンドル本体部の外周部に形成されていることを特徴とする。
【０００９】
請求項３に記載の発明は、請求項２に記載の画像読取装置において、前記押圧部位における前記ハンドル本体部の外周面の接線方向に対する傾斜角度は、前記非押圧部位における前記ハンドル本体部の外周面の接線方向に対する傾斜角度よりも大きいことを特徴とする。
【発明の効果】
【００１０】
請求項１に記載の発明によれば、原稿自動搬送装置の内部に原稿がジャムすると、ユーザはジャム解消ハンドルを回転させようとする。このとき、ジャム解消ハンドルには、一方向側に位置する非押圧部位の形状と一方向側と反対側に位置する押圧部位の形状とが相互に異なる係止部が形成されているため、ユーザはジャム解消ハンドルの形を見ただけで、その回転させる方向を知ることができる。この結果、誘導シールの作成と貼り付けなどの余分なコストや手間をかけることなく、ユーザにジャム解消ハンドルの回転方向を容易に認識させることができる。
【００１１】
なお、本発明の「押圧部位」とは、例えばユーザや作業者がジャム解消ハンドルを回転操作するために指をかけて押圧する部位を意味する。また、「非押圧部位」とは、例えばユーザや作業者がジャム解消ハンドルを回転操作するために指をかけて押圧する必要がない部位を意味する。
【００１２】
請求項２に記載の発明によれば、係止部がハンドル本体部の外周部に形成されているため、係止部がユーザの目につきやすくなる。これにより、ジャム解消ハンドルを見たユーザにその回転方向を瞬時に認識させることができる。また、係止部がハンドル本体部の外周部に形成されているため、係止部にユーザの指を係止させ易くなり、ジャム解消ハンドルを容易に回転させることができる。
【００１３】
請求項３に記載の発明によれば、押圧部位におけるハンドル本体部の外周面の接線方向に対する傾斜角度が、非押圧部位におけるハンドル本体部の外周面の接線方向に対する傾斜角度よりも大きいため、押圧部位に対してユーザの指を係止し易くなり容易に押圧することができる。一方、非押圧部位に対しては、ユーザの指を係止し難くなり押圧することが困難になる。このため、ユーザは、ジャム解消ハンドルを逆方向に回転させようとすると、その回転方向が間違っていることに容易に気付くことになる。このように、ユーザは、ジャム解消ハンドルに触れてみて、その回転させる方向を瞬時に知ることができる。以上により、本発明によれば、誘導シールの作成と貼り付けなどの余分なコストや手間をかけることなく、ユーザにジャム解消ハンドルの回転方向を容易に認識させることができる。
【発明を実施するための最良の形態】
【００１４】
次に、本発明の一実施形態に係る画像読取装置について、図面を参照して説明する。
【００１５】
図１及び図２に示すように、画像読取装置１０は、原稿の情報を読み取る画像読取装置本体１２を備えている。この画像読取装置本体１２の上部には、原稿の情報を読み取る情報読取部位（図示省略）が設けられている。また、画像読取装置本体１２には、原稿読取動作を開始させるためのキーなどを備えた操作部１４が設けられている。
【００１６】
画像読取装置本体１２の上部には、原稿が載置される給紙トレイ１６が設けられている。また、画像読取装置本体１２の上部には、給紙トレイ１６に載置された原稿を情報読取部位に供給する原稿自動搬送装置１８が設けられている。また、画像読取装置本体１２の上部であってかつ給紙トレイ１６の下方には、情報読取部位に供給された原稿が排出される排紙トレイ２０が設けられている。
【００１７】
上記原稿自動搬送装置１８の内部には、原稿を搬送するための原稿搬送機構２２を備えた原稿自動搬送装置本体２４が設けられている。この原稿自動搬送装置本体２４の上面には、給紙トレイ１６上の原稿が通過していく原稿通路面２６が形成されている。また、原稿自動搬送装置１８には、原稿自動搬送装置１８の筐体の一部を構成すると共に原稿搬送機構２２と原稿通路面２６を覆うカバー部材２８が原稿自動搬送装置本体２４に対して開閉可能に設けられている。このカバー部材２８が開けられると、原稿通路面２６と原稿搬送機構２２が外部に露出するようになっている。また、カバー部材２８が閉じられると、原稿通路面２６と原稿搬送機構２２は、カバー部材２８の下側に隠れてしまい、外部から視認することができないようになる。
【００１８】
ここで、図２及び図３に示すように、原稿自動搬送装置本体２４の原稿通路面２６の近傍には、原稿が原稿自動搬送装置１８の内部でジャムしたときに原稿を原稿自動搬送装置１８から取り除くためのジャム解消ハンドル３０が設けられている。このジャム解消ハンドル３０は、原稿自動搬送装置本体２４に回転可能に取り付けられたハンドル本体部３２と、ハンドル本体部３２の外周部に形成された係止部３４と、で構成されている。本実施形態では、ジャム解消ハンドル３０を図３中矢印Ｘ方向に回転させると、ジャムした原稿を原稿自動搬送装置１８の内部から取り除くことができる。
【００１９】
なお、ジャム解消ハンドル３０を図３中矢印Ｘ方向に回転させてジャムした原稿を取り除く構成に限られるものではなく、例えば、ジャム解消ハンドル３０を図３中矢印Ｘ方向と反対方向に回転させてジャムした原稿を取り除く構成にしてもよい。
【００２０】
係止部３４は、側面視にて、三角形状に形成されている。この係止部３４の回転方向側には、ハンドル本体部３２の外周面３２Ａの接線方向に対する傾斜角度が比較的小さい第１斜辺部（非押圧部位）３６が形成されている。また、係止部３４の回転方向と反対方向側には、ハンドル本体部３２の外周面３２Ａの接線方向に対する傾斜角度が第１斜辺部３６のそれよりも大きい第２斜辺部（押圧部位）３８が形成されている。なお、第２斜辺部３８のハンドル本体部３２の外周面３２Ａの接線方向に対する傾斜角度は、略９０度に設定されている。また、第１斜辺部３６の斜辺の長さは、第２斜辺部３８の斜辺の長さよりも長くなるように設定されている。このように、第１斜辺部３６と第２斜辺部３８は、外観上明らかに異なる形状となっている。ユーザがジャム解消ハンドル３０を回転させる場合には、指を第２斜辺部３８に引っ掛けて所定の方向（図３中矢印Ｘ方向）に回転することになる。
【００２１】
次に、本実施形態の画像読取装置１０の作用について説明する。
【００２２】
図２及び図３に示すように、原稿が原稿自動搬送装置１８の内部でジャムすると、ユーザは、カバー部材２８を開けて、ジャム解消ハンドル３０を回転させる。このとき、ジャム解消ハンドル３０の係止部３４を構成する第１斜辺部３６と第２斜辺部３８の形状が外観上明らかに異なっているため、ユーザは、ジャム解消ハンドル３０の外形をみてジャム解消ハンドル３０を回転させる方向（図３中矢印Ｘ方向）を瞬時に知ることができる。
【００２３】
特に、係止部３４がハンドル本体部３２の外周部に形成されているため、係止部３４がユーザの目につきやすくなる。これにより、ジャム解消ハンドル３０を見たユーザにその回転方向を瞬時に認識させることができる。
【００２４】
また、原稿自動搬送装置１８の内部に原稿がジャムすると、ユーザはジャム解消ハンドル３０を回転させようとするが、ジャム解消ハンドル３０の係止部３４には、一方向（図３中矢印Ｘ方向）に回転させるときにユーザの指が係止される第２斜辺部３８を有しており、一方向と反対方向（図３中矢印Ｘ方向と反対方向）に回転させようとすると第１斜辺部３６及び第２斜辺部３８のいずれにもユーザの指を係止することが困難になるため、ユーザがジャム解消ハンドル３０に触れた場合でも、その回転させる方向（図３中矢印Ｘ方向）を知ることができる。特に、係止部３４がハンドル本体部３２の外周部に形成されているため、係止部３４にユーザの指を係止させ易くなり、ジャム解消ハンドル３０を容易に回転させることができる。
【００２５】
さらに、ユーザがジャム解消ハンドル３０を逆方向（図３中矢印Ｘ方向と反対方向）に回転させようとすると、係止部３４にユーザの指が係止されないため、ユーザは、回転方向が間違っていることに容易に気付くことになる。この結果、従来技術のように誘導シールの作成と貼り付けなどの余分なコストや手間をかけることなく、ユーザにジャム解消ハンドル３０の回転方向（図３中矢印Ｘ方向）を容易に認識させることができる。
【００２６】
なお、ジャム解消ハンドル３０の図３中矢印Ｘ方向と反対方向に回転させて、ジャムした原稿を取り除く場合には、第１斜辺部３６の形成位置と第２斜辺部３８の形成位置を逆に設定することにより、ジャム解消ハンドル３０の回転方向をユーザに瞬時に認識させることができる。
【図面の簡単な説明】
【００２７】
【図１】本発明の一実施形態に係る画像読取装置の斜視図である。
【図２】本発明の一実施形態に係る画像読取装置を構成する原稿自動搬送装置のカバー部材を開けた状態の斜視図である。
【図３】本発明の一実施形態に係る画像読取装置を構成する原稿自動搬送装置のジャム解消ハンドルの斜視図である。
【符号の説明】
【００２８】
１０      画像読取装置
１２      画像読取装置本体
１８      原稿自動搬送装置
３０      ジャム解消ハンドル
３２      ハンドル本体部
３４      係止部
３６      第１斜辺部（非押圧部位）
３８      第２斜辺部（押圧部位）
【図１】
2008035000.tif 000003
【図２】
2008035000.tif 000004
【図３】
2008035000.tif 000005